(57)【要約】【課題】原稿の紙色に応じて画像データの色調を補正する際の中間調の画像データの補正精度を高めて色再現性を向上させることのできる画像処理装置及び画像形成装置を提供すること。【解決手段】光源から原稿の余白部分に最大光量，中間光量，最小光量の三つの異なる光量で順に光を照射したときに読み取られる少なくとも三組の個別色成分データを取得し（Ｓ３〜Ｓ５，Ｓ７〜Ｓ９），その取得された個別色成分データに基づいて複数の色成分データごとに対応する紙色対応ガンマ補正データを生成する（Ｓ１０〜Ｓ１８）。そして，画像読取手段で同じ色の原稿から画像データを読み取る際には，前記紙色対応ガンマ補正データに基づいて色成分データを補正する。【選択図】図５
2011176461.tif 000002
【特許請求の範囲】
【請求項１】
原稿に光を照射する光源と，前記原稿からの反射光に応じて該原稿の画像を複数の色成分データを含むカラー画像データとして読み取る画像読取手段とを備えてなる画像処理装置であって，
前記光源から原稿の余白部分に少なくとも三つの異なる光量で順に光を照射したときに前記画像読取手段で読み取られる少なくとも三組の個別色成分データを取得する紙色データ取得手段と，
前記紙色データ取得手段によって取得された前記個別色成分データに基づいて前記複数の色成分データごとに対応する紙色対応ガンマ補正データを生成する紙色対応ガンマ補正データ生成手段と，
前記画像読取手段で読み取られる色成分データ各々を前記紙色対応ガンマ補正データ生成手段によって生成された前記紙色対応ガンマ補正データ各々に基づいて補正するガンマ補正手段と，
を備えてなることを特徴とする画像処理装置。
【請求項２】
前記少なくとも三つの光量が，前記光源の最大光量，最小光量，前記最大光量及び前記最小光量の中間光量である請求項１に記載の画像処理装置。
【請求項３】
紙色が予め定められた基準色である原稿の余白部分に前記光源から前記少なくとも三つの異なる光量で順に光を照射したときに前記画像読取手段で読み取られた少なくとも三組の基準色成分データが記憶された基準色成分データ記憶手段と，前記基準色成分データ記憶手段に記憶された前記基準色成分データ各々に基づいて予め定められた基準ガンマ補正データ各々が記憶された基準ガンマ補正データ記憶手段とを更に備えてなり，
前記紙色対応ガンマ補正データ生成手段が，前記紙色データ取得手段により取得された前記個別色成分データ各々と前記基準色成分データ記憶手段に記憶された前記基準色成分データ各々との差分に基づいて前記基準ガンマ補正データを修正することにより前記複数の色成分データごとに対応する紙色対応ガンマ補正データを生成するものである請求項１又は２のいずれかに記載の画像処理装置。
【請求項４】
前記紙色対応ガンマ補正データ生成手段が，前記画像読取手段で読み取られる色成分データ各々を前記基準ガンマ補正データ又は前記紙色対応ガンマ補正データに基づいて補正した結果が略同一となる前記紙色対応ガンマ補正データを生成するものである請求項３に記載の画像処理装置。
【請求項５】
前記ガンマ補正手段が，所定の操作入力手段に対する操作入力に応じて前記基準ガンマ補正データ及び前記紙色対応ガンマ補正データのいずれかを選択して前記画像読取手段で読み取られる色成分データ各々を補正するものである請求項３又は４のいずれかに記載の画像処理装置。
【請求項６】
前記原稿の余白部分が，該原稿の先端及び／又は後端の余白部分である請求項１〜５のいずれかに記載の画像処理装置。
【請求項７】
前記紙色データ取得手段が，前記原稿の複数の余白部分において，前記少なくとも三つの異なる光量で順に光を照射したときに前記画像読取手段で読み取られる少なくとも三組の個別色成分データを取得し，該複数の余白部分において取得された前記個別色成分データの平均値を算出するものである請求項１〜６のいずれかに記載の画像処理装置。
【請求項８】
前記画像読取手段が，自動原稿搬送手段によって自動搬送される原稿から前記複数の色成分データを含むカラー画像データを読み取るものである請求項１〜７のいずれかに記載の画像処理装置。
【請求項９】
請求項１〜８のいずれかに記載の画像処理装置と，前記ガンマ補正手段による補正後の前記色成分データ各々に基づいて画像を形成する画像形成手段とを備えてなる画像形成装置。
【発明の詳細な説明】
【技術分野】
【０００１】
本発明は，原稿から複数の色成分データを含むカラー画像データを読み取る画像処理装置，及びその読み取られた色成分データ各々に基づいて画像を形成する画像形成装置に関し，特に，原稿から読み取られたカラー画像データの色調をその原稿の紙色に基づいて補正する技術に関するものである。
【背景技術】
【０００２】
一般に，スキャナ装置や複写機，ファクシミリ装置，複合機などにおいて原稿の画像を読み取るとき，その原稿の下地色が予め想定された純度の白色であることを前提に画像データが取得される。そのため，例えば用紙品質によって白色純度が異なる場合や再生紙のように白色純度が低い場合には，その原稿の紙色の影響を受けて，読み取った原稿の画像の色再現性が低下するという問題がある。
一方，従来から，原稿から読み取られた画像データに対してその原稿の下地色に応じた補正を行う技術が知られている。例えば特許文献１では，原稿の画像データの色調を紙色データに基づいて補正することが開示されており，その紙色データを生成する際，シェーディング補正で取得された黒補正データ及び白補正データを用いて画像データを補正することで，その原稿の紙色データの検出精度を高めることも開示されている。
【先行技術文献】
【特許文献】
【０００３】
【特許文献１】特開２００２−１３１９９４号公報
【発明の概要】
【発明が解決しようとする課題】
【０００４】
しかしながら，前記特許文献１に開示されているように，シェーディング補正で用いられる黒補正データ及び白補正データだけを用いて画像データを補正する場合（補正データ＝（読取データ−黒補正データ）／（白補正データ−黒補正データ））には，低階調から高階調まで全ての画像データについて同じ割合で補正が行われることとなるため，中間調の画像データの色調補正の精度が悪く色再現性が低いという問題がある。例えば，シェーディング補正で得られた黒補正データ及び白補正データに基づいてガンマ補正曲線を生成すると，そのガンマ補正曲線のカーブの中央部の形状が限定されないため，中間調の画像データに対するガンマ補正が適切なものとならないおそれがある。
従って，本発明は上記事情に鑑みてなされたものであり，その目的とするところは，原稿の紙色に応じて画像データの色調を補正する際の中間調の画像データの補正精度を高めて色再現性を向上させることのできる画像処理装置及び画像形成装置を提供することにある。
【課題を解決するための手段】
【０００５】
上記目的を達成するために本発明は，原稿に光を照射する光源と，前記原稿からの反射光に応じて該原稿の画像を複数の色成分データを含むカラー画像データとして読み取る画像読取手段とを備えてなる画像処理装置に適用されるものであって，前記光源から原稿の余白部分に少なくとも三つの異なる光量で順に光を照射したときに前記画像読取手段で読み取られる少なくとも三組の個別色成分データを取得する紙色データ取得手段と，前記紙色データ取得手段によって取得された前記個別色成分データに基づいて前記複数の色成分データごとに対応する紙色対応ガンマ補正データを生成する紙色対応ガンマ補正データ生成手段と，前記画像読取手段で読み取られる色成分データ各々を前記紙色対応ガンマ補正データ生成手段によって生成された前記紙色対応ガンマ補正データ各々に基づいて補正するガンマ補正手段とを備えてなることを特徴とする画像処理装置として構成される。例えば，前記少なくとも三つの光量は，前記光源の最大光量，最小光量，前記最大光量及び前記最小光量の中間光量である。
本発明によれば，前記光源の最大光量，最小光量，中間光量などの少なくとも三つの異なる光量を照射したときに取得される色成分データに基づいて生成される前記紙色対応ガンマ補正データを用いて，原稿から読み取られる画像データの色調をその紙色に応じて補正することができるため，その中間調の画像データの補正精度を高めて色再現性を向上させることができる。従って，例えば前記画像処理装置を利用するユーザ毎に用いる原稿の紙色が異なる場合であっても，その紙色に適切な前記紙色対応ガンマ補正データに基づいてガンマ補正処理を行うことにより，原稿画像の高い色再現性を維持することができる。
【０００６】
具体的には，紙色が予め定められた基準色である原稿の余白部分に前記光源から前記少なくとも三つの異なる光量で順に光を照射したときに前記画像読取手段で読み取られた少なくとも三組の基準色成分データが記憶された基準色成分データ記憶手段と，前記基準色成分データ記憶手段に記憶された前記基準色成分データ各々に基づいて予め定められた基準ガンマ補正データ各々が記憶された基準ガンマ補正データ記憶手段とを更に備えてなり，前記紙色対応ガンマ補正データ生成手段が，前記紙色データ取得手段により取得された前記個別色成分データ各々と前記基準色成分データ記憶手段に記憶された前記基準色成分データ各々との差分に基づいて前記基準ガンマ補正データを修正することにより前記複数の色成分データごとに対応する紙色対応ガンマ補正データを生成することが考えられる。
また，前記紙色対応ガンマ補正データ生成手段は，前記画像読取手段で読み取られる色成分データ各々を前記基準ガンマ補正データ又は前記紙色対応ガンマ補正データに基づいて補正した結果が略同一となる前記紙色対応ガンマ補正データを生成するものであることが考えられる。これにより，前記基準ガンマ補正データが生成されたときの原稿の基準色と，前記紙色対応ガンマ補正データが生成されたときの原稿の紙色との差を除外した画像データを得ることができる。
ところで，前記ガンマ補正手段は，例えば所定の操作入力手段に対する操作入力に応じて前記基準ガンマ補正データ及び前記紙色対応ガンマ補正データのいずれかを選択して前記画像読取手段で読み取られる色成分データ各々を補正するものである。これにより，ユーザは前記基準ガンマ補正データ及び前記紙色対応ガンマ補正データのいずれかを任意に選択して画像読取処理を実行させることができる。
【０００７】
ところで，前記原稿の余白部分は，該原稿の先端や後端の余白部分であることが考えられる。もちろん，何も記載されていない白紙の原稿を用いてもよい。
また，前記紙色データ取得手段は，前記原稿の複数の余白部分において，前記少なくとも三つの異なる光量で順に光を照射したときに前記画像読取手段で読み取られる少なくとも三組の個別色成分データを取得し，該複数の余白部分において取得された前記個別色成分データの平均値を算出するものであってもよい。これにより，原稿の一部分の汚れなどによる影響を低減し，前記個別色成分データの精度を上げることができる。
なお，前記画像読取手段は，原稿台に載置された原稿からカラー画像データを読み取るものに限らず，自動原稿搬送手段によって自動搬送される原稿から前記複数の色成分データを含むカラー画像データを読み取るものであってもよい。
また，本発明は，前記画像処理装置と，前記ガンマ補正手段による補正後の前記色成分データ各々に基づいて画像を形成する画像形成手段とを備えてなる画像形成装置の発明として捉えることも可能である。
【発明の効果】
【０００８】
本発明によれば，前記光源の最大光量，最小光量，中間光量などの少なくとも三つの異なる光量を照射したときに取得される色成分データに基づいて生成される前記紙色対応ガンマ補正データを用いて，原稿から読み取られる画像データの色調をその紙色に応じて補正することができるため，その中間調の画像データの補正精度を高めて色再現性を向上させることができる。従って，例えば前記画像処理装置を利用するユーザ毎に用いる原稿の紙色が異なる場合であっても，その紙色に適切な前記紙色対応ガンマ補正データに基づいてガンマ補正処理を行うことにより，原稿画像の高い色再現性を維持することができる。
【図面の簡単な説明】
【０００９】
【図１】本発明の実施の形態に係る複合機Ｘの概略構成を示すブロック図。
【図２】Ｒ色成分データの読取結果及びＲ用ガンマ補正データの一例を示す図。
【図３】Ｇ色成分データの読取結果及びＧ用ガンマ補正データの一例を示す図。
【図４】Ｂ色成分データの読取結果及びＢ用ガンマ補正データの一例を示す図。
【図５】本発明の実施の形態に係る複合機Ｘで実行される紙色対応ガンマ補正データ生成処理の手順の一例を説明するフローチャート。
【図６】本発明の実施の形態に係る複合機Ｘで実行される画像読取処理の手順の一例を説明するフローチャート。
【発明を実施するための形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
まず，図１を用いて，本発明の実施の形態に係る複合機Ｘの概略構成について説明する。
図１に示すように，前記複合機Ｘは，本発明に係る画像処理装置及び画像形成装置の一例であって，制御部１，操作表示部２，画像読取部３，画像処理部４，画像形成部５などを備えて概略構成されている。なお，その他，複写機も本発明に係る画像形成装置に該当し，スキャナ装置やファクシミリ装置も本発明に係る画像処理装置に該当する。
【００１１】
前記制御部１は，ＣＰＵ及びＲＯＭ，ＲＡＭ等の周辺装置を有しており，前記ＣＰＵで前記ＲＯＭに格納された所定の制御プログラムに従った処理を実行することにより，当該複合機Ｘを統括的に制御するものである。また，前記制御部１は，後述の紙色対応ガンマ補正データ生成処理（図５参照）や画像読取処理（図６参照）などを実行する。
前記操作表示部２（所定の操作入力手段の一例）は，当該複合機Ｘにおける各種の情報の表示や，ユーザによる入力操作を行うための液晶ディスプレイ，タッチパネル，各種操作キーなどを有している。
前記画像読取部３（画像読取手段の一例）は，原稿台（不図示）に載置された原稿や自動原稿搬送装置（自動原稿搬送手段，不図示）により自動搬送される原稿に対して光を照射するＬＥＤなどの光源と，該原稿から反射される反射光に応じて該原稿の画像を読み取るＣＣＤ等とを有している。なお，前記光源の光量は，前記制御部１によって前記画像読取部３が制御されることによって変更可能である。
ここで，前記画像読取部３は，前記原稿の画像をＲ（赤），Ｇ（緑），Ｂ（青）の３色の色成分データ（以下，Ｒ色成分データ，Ｇ色成分データ，Ｂ色成分データという）を含むカラー画像データとして読み取る。特に，前記画像読取部３は，原稿がモノクロ，カラーのいずれである場合でも，その画像をＲ，Ｇ，Ｂ色成分データを含むカラー画像データとして読み取る。例えば，前記画像読取部３は，Ｒ，Ｇ，Ｂ各々に対応する３つの撮像素子（ＣＣＤ等）を有する画像読取部である。
【００１２】
前記画像処理部４は，前記画像読取部３によって読み取られたカラー画像データに含まれる色成分データ各々に対して，シェーディング補正処理，ガンマ補正処理，平滑・強調処理，ＣＭＹＫ変換処理などの各種画像処理を施すものである。
そして，前記複合機Ｘにおいて複写処理が実行される場合，前記画像処理部４は，前記画像処理後のカラー画像データを前記画像形成部５に入力する。また，前記複合機Ｘにおいてスキャン処理が実行される場合，前記画像処理部４は，前記画像処理後のカラー画像データを内部の記憶手段に記憶し，或いはＬＡＮ等のネットワークを介して所定の情報処理装置などに送信する。
前記画像形成部５は，感光体ドラムや現像装置などの周知の電子写真方式の画像形成部の構成要素を備えており，給紙カセットから供給された用紙に対し，前記画像処理部４における各種の補正処理後の色成分データ各々に基づいてモノクロ画像又はカラー画像を形成する画像形成手段である。
本発明の実施の形態に係る前記複合機Ｘは，前記画像処理部４で実行されるガンマ補正処理の内容に特徴を有しており，以下，この点について詳述する。
【００１３】
前記画像処理部４は，前記ガンマ補正処理において，前記画像読取部３によって読み取られたＲ，Ｇ，Ｂ色成分データを，予め設定されたガンマ補正データ（γ補正曲線）に基づいて補正するものである。ここに，係るガンマ補正処理を実行するときの前記画像処理部４がガンマ補正手段に相当する。
特に，前記画像処理部４は，予め設定された基準ガンマ補正データが記憶された基準データ記憶部４１と，後述の紙色対応ガンマ補正データが記憶される紙色対応データ記憶部４２とを有している。なお，前記基準データ記憶部４１及び前記紙色対応データ記憶部４２は，半導体メモリ（ＥＰＲＯＭなど）やハードディスクなどの記憶媒体である。
そして，前記画像処理部４は，前記基準データ記憶部４１及び前記紙色対応データ記憶部４２に記憶された前記基準ガンマ補正データ及び前記紙色対応ガンマ補正データのいずれか一方を選択的に用いて，前記画像読取部３で読み取られた画像データの色調を補正するガンマ補正処理を実行する。
【００１４】
ここで，図２〜図４を参照しつつ，前記基準ガンマ補正データの一例について説明する。
本実施の形態では，図２（ａ），図３（ａ），図４（ａ）に示すように，紙色が予め定められた純度の白色（基準色の一例）である原稿の余白部分に，前記画像読取部３の光源から最大光量（２５５），中間光量（１４３），最小光量（３１）の三つの異なる光量で順に光を照射したときに，前記画像読取部３で読み取られた三組のＲ，Ｇ，Ｂ色成分データを基準色成分データ「Ｄｒ１，Ｄｇ１，Ｄｂ１」，「Ｄｒ２，Ｄｇ２，Ｄｂ２」，「Ｄｒ３，Ｄｇ３，Ｄｂ３」であったとする。なお，前記画像読取部３は，前記光源に流れる電流を１０ｍＡ，２０ｍＡ，３０ｍＡに変化させることにより，該光源から照射される光量を最小光量（３１），中間光量（１４３），最大光量（２５５）の三段階に変化させる。また，前記最大光量，中間光量，最小光量の三つに限らず，少なくとも三つ以上の多段階の光量で基準色成分データを取得すればよい。なお，前記最小光量とは，例えば前記光源を発光させることのできるハード的な最小光量や予め任意に定めた値である。もちろん，前記最大光量，中間光量，最小光量各々の値は単なる一例に過ぎない。
この場合，図２（ｂ）に示すように，前記基準色成分データＤｒ１〜Ｄｒ３を結ぶγ曲線Ｆｒ１を理想のγ曲線Ｆｒ０と一致させるための基準ガンマ補正データＴｒ１が予め設定されている。同じく，図３（ｂ）に示すように，前記基準色成分データＤｇ１〜Ｄｇ３を結ぶγ曲線Ｆｇ１を理想のγ曲線Ｆｇ０と一致させるための基準ガンマ補正データＴｇ１が予め設定され，図４（ｂ）に示すように，前記基準色成分データＤｂ１〜Ｄｂ３を結ぶγ曲線Ｆｂ１を理想のγ曲線Ｆｂ０と一致させるための基準ガンマ補正データＴｂ１が予め設定されている。
そして，前記基準色成分データＤｒ１〜Ｄｒ３，Ｄｇ１〜Ｄｇ３，Ｄｂ１〜Ｄｂ３，及び前記基準ガンマ補正データＴｒ１，Ｔｇ１，Ｔｂ１は，前記基準データ記憶部４１（基準色成分データ記憶手段，基準ガンマ補正データ記憶手段の一例）に予め記憶されている。
【００１５】
次に，図２〜図５を参照しつつ，前記紙色対応ガンマ補正データの一例について説明する。
前記紙色対応ガンマ補正データは，前記制御部１によって後述の紙色対応ガンマ補正データ生成処理（図５参照）が実行されることによって生成される。ここに，係る紙色対応ガンマ補正データ生成処理を実行するときの前記制御部１が紙色対応ガンマ補正データ生成手段に相当する。
以下，図５のフローチャートに従って，前記制御部１によって実行される紙色対応ガンマ補正データ生成処理の手順の一例について説明する。なお，図中のＳ１，Ｓ２，…は処理手順（ステップ）の番号を表している。
当該紙色対応ガンマ補正データ生成処理は，例えば前記操作表示部２に対するユーザ操作などに応じて前記制御部１によって開始される。具体的に，ユーザは，前記画像読取部３の原稿台に通常使用する原稿用紙をセットし，前記操作表示部２に対して当該紙色対応ガンマ補正データ生成処理の開始要求操作を行うことにより，当該紙色対応ガンマ補正データ生成処理を実行させる。
【００１６】
（ステップＳ１）
まず，前記制御部１は，前記画像読取部３及び前記画像処理部４を制御することによりシェーディング補正処理を開始させる。
具体的に，前記シェーディング補正処理では，前記画像読取部３が不図示の原稿台に設けられた白色基準板に対して最小光量及び最大光量の二つの異なる光量で光を照射したときに読み取られる主走査方向の画像データの値が均一になるようにその画像データを補正するための補正パラメータが取得される。これにより，その後の前記画像読取部３による画像データの読み取りの際，前記画像処理部４は，その補正パラメータに基づいて画像データを補正する。なお，前記シェーディング補正処理が当該紙色対応ガンマ補正データ生成処理の開始時に実行されることにより，該紙色対応ガンマ補正データ生成処理において生成される紙色対応ガンマ補正データの精度が高まるが，もちろん前記シェーディング補正処理の実行タイミングはこれに限らず，前記複合機Ｘにおいて定期的に或いは前記操作表示部２に対する実行要求操作などに応じて該紙色対応ガンマ補正データ生成処理とは個別に実行されるものであってもよい。
【００１７】
（ステップＳ２〜Ｓ５）
次に，ステップＳ２では，前記制御部１は，前記画像読取部３を制御することにより，該画像読取部３の光源及びＣＣＤ等が搭載されたキャリッジ部を原稿台にセットされた原稿の先端の余白部分まで移動させる。これにより，前記画像読取部３では，前記原稿の先端の余白部分から該原稿の紙色を表す画像データを読み取ることが可能となる。なお，前記原稿が自動原稿搬送装置によって自動搬送される場合には，該自動原稿搬送装置によって前記原稿の先端の余白部分が前記光源の光の照射位置となるように原稿が自動搬送される。
そして，ステップＳ３〜Ｓ５において，前記制御部１は，前記画像読取部３を制御することにより，該画像読取部３の光源から原稿の先端の余白部分に，最大光量（２５５），中間光量（１４３），最小光量（３１）の異なる光量で順に光を照射したときに前記画像読取部３で読み取られる三組の個別色成分データを取得する。具体的に，前記画像読取部３は，前記光源に流れる電流を３０ｍＡ，２０ｍＡ，１０ｍＡに変化させることにより，該光源から照射される光量を最大光量（２５５），中間光量（１４３），最小光量（３１）の三段階に変化させ，その各状態でＲ，Ｇ，Ｂ色成分データを読み取る。ここに，最大光量で取得されたＲ，Ｇ，Ｂ色成分データを個別色成分データＡｒ１，Ａｇ１，Ａｂ１とし，中間光量で取得されたＲ，Ｇ，Ｂ色成分データを個別色成分データＡｒ２，Ａｇ２，Ａｂ２とし，最小光量で取得されたＲ，Ｇ，Ｂ色成分データを個別色成分データＡｒ３，Ａｇ３，Ａｂ３とする。なお，前記基準色成分データが更に多段階の光量に対応して取得されたものである場合には，前記個別色成分データについても前記最大光量，中間光量，最小光量の三つに限らず，少なくとも三つ以上の多段階の光量で個別基準色成分データを取得すればよい。
【００１８】
（ステップＳ６〜Ｓ９）
さらに，ステップＳ６では，前記制御部１は，前記画像読取部３を制御することにより，該画像読取部３の前記キャリッジ部を原稿台にセットされた原稿の後端の余白部分まで移動させる。これにより，前記画像読取部３では，前記原稿の後端の余白部分から該原稿の紙色を表す画像データを読み取ることが可能となる。なお，前記原稿が自動原稿搬送装置によって自動搬送される場合には，該自動原稿搬送装置によって前記原稿の後端の余白部分が前記光源の光の照射位置となるように原稿が自動搬送される。
そして，ステップＳ７〜Ｓ９において，前記制御部１は，前記画像読取部３を制御することにより，該画像読取部３の光源から原稿の後端の余白部分に，最大光量（２５５），中間光量（１４３），最小光量（３１）の異なる光量で順に光を照射したときに前記画像読取部３で読み取られる三組の個別色成分データを取得する。具体的に，前記画像読取部３は，前記光源に流れる電流を３０ｍＡ，２０ｍＡ，１０ｍＡに変化させることにより，該光源から照射される光量を最大光量（２５５），中間光量（１４３），最小光量（３１）の三段階に変化させ，その各状態でＲ，Ｇ，Ｂ色成分データを読み取る。ここに，最大光量で取得されたＲ，Ｇ，Ｂ色成分データを個別色成分データＢｒ１，Ｂｇ１，Ｂｂ１とし，中間光量で取得されたＲ，Ｇ，Ｂ色成分データを個別色成分データＢｒ２，Ｂｇ２，Ｂｂ２とし，最小光量で取得されたＲ，Ｇ，Ｂ色成分データを個別色成分データＢｒ３，Ｂｇ３，Ｂｂ３とする。なお，前記基準色成分データが更に多段階の光量に対応して取得されたものである場合には，前記個別色成分データについても前記最大光量，中間光量，最小光量の三つに限らず同様のに更に多段階の光量に対応して取得すればよい。
【００１９】
（ステップＳ１０〜Ｓ１２）
次に，ステップＳ１０〜Ｓ１２では，前記制御部１は，前記ステップＳ３〜Ｓ５と前記ステップＳ７〜Ｓ９とにおいて取得された最大光量，中間光量，最小光量各々に対応する個別色成分データの平均値を算出し，その値を前記原稿の紙色に対応する個別色成分データとして取得する。ここに，前記個別色成分データを取得するときの前記制御部１が紙色データ取得手段に相当する。
具体的に，最大光量のときのＲ色成分データの平均値である個別色成分データをＣｒ１とすると，Ｃｒ１は，（Ａｒ１＋Ｂｒ１）／２で算出される。同様にして，最大光量，中間光量，最小光量のときに検出された色成分データの平均値である個別色成分データＣｒ２〜Ｃｒ３，Ｃｇ１〜Ｃｇ３，Ｃｂ１〜Ｃｂ３が算出される（Ｓ１０〜Ｓ１２）。なお，前記ステップＳ１０〜Ｓ１２各々の処理は，異なる制御主体によって並列処理されるものであってもよい。
このように，当該紙色対応ガンマ補正データ生成処理では，前記原稿の紙色の検出が該原稿の先端及び後端の二箇所で行われ，その平均値を前記原稿の紙色として取得しているため，該紙色の検出精度を高めることができる。また，前記原稿の先端や後端で紙色を検出する場合には，該原稿の先端や後端の余白部分を利用することができるため，該原稿は文字や画像が印刷されたものであってもよい。一方，前記原稿が白紙である場合には，該原稿の先端及び後端の二箇所に該原稿の中間位置などを加えた三箇所以上において，最大光量，中間光量，最小光量の三つの光量で順に光を照射してＲ，Ｇ，Ｂ色成分データを取得し，その平均値を紙色として取得することも考えられる。もちろん，前記原稿の先端又は後端のいずれか一方のみにおいて紙色を取得してもよい。
【００２０】
（ステップＳ１３〜Ｓ１５）
そして，ステップＳ１３〜Ｓ１５では，前記制御部１は，前記個別色成分データＣｒ１〜Ｃｒ３，Ｃｇ１〜Ｃｇ３，Ｃｂ１〜Ｃｂ３と，前記基準色成分データＤｒ１〜Ｄｒ３，Ｄｇ１〜Ｄｇ３，Ｄｂ１〜Ｄｂ３との差分割合を算出する。
具体的に，前記平均値Ｃｒ１と前記基準色成分データＤｒ１との差分割合をＥｒ１とすると，Ｅｒ１は，（Ｃｒ１−Ｄｒ１）／Ｄｒ１で算出される。同様にして，他の差分割合Ｅｒ２〜Ｅｒ３，Ｅｇ１〜Ｅｇ３，Ｅｂ１〜Ｅｂ３が算出される（Ｓ１３〜Ｓ１５）。なお，前記差分割合Ｅｒ１〜Ｅｒ３，Ｅｇ１〜Ｅｇ３，Ｅｂ１〜Ｅｂ３に代えて，前記個別色成分データＣｒ１〜Ｃｒ３，Ｃｇ１〜Ｃｇ３，Ｃｂ１〜Ｃｂ３と，前記基準色成分データＤｒ１〜Ｄｒ３，Ｄｇ１〜Ｄｇ３，Ｄｂ１〜Ｄｂ３との単純差分値であるΔＣｒ１〜ΔＣｒ３，ΔＣｇ１〜ΔＣｇ３，ΔＣｂ１〜ΔＣｂ３を用いることも他の実施例として考えられる。また，前記ステップＳ１３〜Ｓ１５各々の処理は，異なる制御主体によって並列処理されるものであってもよい。
このとき，前記個別色成分データＣｒ１〜Ｃｒ３，Ｃｇ１〜Ｃｇ３，Ｃｂ１〜Ｃｂ３が取得されたときの原稿の紙色と前記基準色成分データＤｒ１〜Ｄｒ３，Ｄｇ１〜Ｄｇ３，Ｄｂ１〜Ｄｂ３が取得されたときの原稿の紙色との白色純度が異なる場合，例えば前者が後者に比べて少し青みがかっているような場合には，図２〜図４に示すように，前記個別色成分データＣｒ１〜Ｃｒ３，Ｃｇ１〜Ｃｇ３，Ｃｂ１〜Ｃｂ３の値が前記基準色成分データＤｒ１〜Ｄｒ３，Ｄｇ１〜Ｄｇ３，Ｄｂ１〜Ｄｂ３と比べて低くなる。特に，前記光源の光量が強いとき程，その差分は大きくなる（ΔＣｒ１＞ΔＣｒ２＞ΔＣｒ３，ΔＣｇ１＞ΔＣｇ２＞ΔＣｇ３，ΔＣｂ１＞ΔＣｂ２＞ΔＣｂ３）。
【００２１】
（ステップＳ１６〜Ｓ１９）
続いて，ステップＳ１６〜Ｓ１８において，前記制御部１は，前記ステップＳ１３〜Ｓ１５で算出された差分割合Ｅｒ１〜Ｅｒ３，Ｅｇ１〜Ｅｇ３，Ｅｂ１〜Ｅｂ３に基づいて，前記基準ガンマ補正データＴｒ１，Ｔｇ１，Ｔｂ１を修正し，Ｒ，Ｇ，Ｂ色成分データ各々に対応する紙色対応ガンマ補正データＴｒ２，Ｔｇ２，Ｔｂ２を生成する。即ち，当該紙色対応ガンマ補正データ生成処理では，前記ステップＳ３〜Ｓ５及び前記ステップＳ７〜Ｓ９で取得された個別色成分データに基づいて前記紙色対応ガンマ補正データＴｒ２，Ｔｇ２，Ｔｂ２が生成される。なお，前記ステップＳ１６〜Ｓ１８各々の処理は，異なる制御主体によって並列処理されるものであってもよい。
ここに，図２（ｂ），図３（ｂ），図４（ｂ）には，前記紙色対応ガンマ補正データＴｒ２，Ｔｇ２，Ｔｂ２の一例が示されている。前記紙色対応ガンマ補正データＴｒ２，Ｔｇ２，Ｔｂ２は，前記差分割合Ｅｒ１〜Ｅｒ３，Ｅｇ１〜Ｅｇ３，Ｅｂ１〜Ｅｂ３に応じて，前記基準ガンマ補正データＴｒ１，Ｔｇ１，Ｔｂ１より少し立ち上げられたγ補正曲線であって，前記画像読取部３で読み取られるＲ，Ｇ，Ｂ色成分データ各々を前記基準ガンマ補正データＴｒ１，Ｔｇ１，Ｔｂ１又は前記紙色対応ガンマ補正データＴｒ２，Ｔｇ２，Ｔｂ２に基づいて補正した結果が略同一となるように設定されたものである。このとき，前述したように，前記光源の光量が強いとき程，前記差分割合Ｅｒ１〜Ｅｒ３，Ｅｇ１〜Ｅｇ３，Ｅｂ１〜Ｅｂ３が大きくなるため，前記紙色対応ガンマ補正データＴｒ２，Ｔｇ２，Ｔｂ２と前記基準ガンマ補正データＴｒ１，Ｔｇ１，Ｔｂ１との差分も高階調になるほど大きくなっている。
そして，前記制御部１は，前記ステップＳ１６〜Ｓ１８で生成された紙色対応ガンマ補正データＴｒ２，Ｔｇ２，Ｔｂ２を，前記紙色対応データ記憶部４２に記憶し（Ｓ１９），当該紙色対応ガンマ補正データ生成処理を終了する。
【００２２】
このように，前記紙色対応ガンマ補正データ生成処理によって前記紙色対応ガンマ補正データＴｒ２，Ｔｇ２，Ｔｂ２が生成されると，その後，前記制御部１によって後述の画像読取処理（図６参照）が実行されることにより，前記画像処理部４では，前記画像読取部３で読み取られるＲ，Ｇ，Ｂ色成分データに対し，前記基準ガンマ補正データＴｒ１，Ｔｇ１，Ｔｂ１又は前記紙色対応ガンマ補正データＴｒ２，Ｔｇ２，Ｔｂ２のいずれかに基づいてガンマ補正が施される。
以下，図６のフローチャートに従って，前記制御部１によって実行される画像読取処理の手順の一例について説明する。なお，図中のＳ２１，Ｓ２２，…は処理手順（ステップ）の番号を表している。
【００２３】
（ステップＳ２１〜Ｓ２２）
まず，ステップＳ２１では，前記制御部１は，前記操作表示部２に対するユーザ操作などの画像読取要求を待ち受けている（Ｓ２１のＮｏ側）。ここで，画像読取要求がなされたと判断すると（Ｓ２１のＹｅｓ側），処理はステップＳ２２に移行する。なお，このとき前記制御部１は，前記操作表示部２に紙色モードを選択するための操作画面を表示させており，ユーザは前記操作表示部２に対する画像読取要求時に前記紙色モードを選択することが可能である。ここに，前記紙色モードは，前記紙色対応ガンマ補正データ生成処理（図５参照）によって生成された前記紙色対応ガンマ補正データＴｒ２，Ｔｇ２，Ｔｂ２を用いてガンマ補正を行う画像読取モードである。
そして，ステップＳ２２では，前記制御部１は，前記画像読取要求時に前記操作表示部２に対するユーザの操作入力によって前記紙色モードが選択されたか否かを判断する。ここで，前記紙色モードが選択されたと判断すると（Ｓ２２のＹｅｓ側），処理はステップＳ２３に移行し，前記紙色モードが選択されていなければ（Ｓ２２のＮｏ側），処理はステップＳ２４に移行する。なお，前記紙色モードで画像読取処理を実行することを初期設定とすることも他の実施例として考えられる。
【００２４】
（ステップＳ２３，Ｓ２４）
ステップＳ２３では，前記制御部１が，前記紙色モードで画像読取処理を実行する。具体的に，前記制御部１は，前記紙色対応ガンマ補正データＴｒ２，Ｔｇ２，Ｔｂ２を選択し，前記画像読取部３及び前記画像処理部４を制御することによって，前記画像読取部３に，原稿からの画像データの読み取りを開始させ，前記画像処理部４に，前記画像読取部３で読み取られたＲ，Ｇ，Ｂ色成分データ各々に対して前記紙色対応ガンマ補正データＴｒ２，Ｔｇ２，Ｔｂ２に基づくガンマ補正処理を実行させる。このとき，前記画像処理部４は，前記紙色対応データ記憶部４２から前記紙色対応ガンマ補正データＴｒ２，Ｔｇ２，Ｔｂ２を読み出し，該紙色対応ガンマ補正データＴｒ２，Ｔｇ２，Ｔｂ２に基づくガンマ補正処理を実行する。
一方，ステップＳ２４では，前記制御部１が，前記紙色モードではない通常の画像読取処理を実行する。具体的に，前記制御部１は，前記基準ガンマ補正データＴｒ１，Ｔｇ１，Ｔｂ１を選択し，前記画像読取部３及び前記画像処理部４を制御することにより，前記画像読取部３に，原稿からの画像データの読み取りを開始させ，前記画像処理部４に，前記画像読取部３で読み取られたＲ，Ｇ，Ｂ色成分データ各々に対して前記基準ガンマ補正データＴｒ１，Ｔｇ１，Ｔｂ１に基づくガンマ補正処理を実行させる。このとき，前記画像処理部４は，前記基準データ記憶部４１から前記基準ガンマ補正データＴｒ１，Ｔｇ１，Ｔｂ１を読み出し，該基準ガンマ補正データＴｒ１，Ｔｇ１，Ｔｂ１に基づくガンマ補正処理を実行する。
以上説明したように，前記複合機Ｘでは，前記制御部１によって前記紙色対応ガンマ補正データ生成処理（図５参照）及び前記画像読取処理（図６参照）が実行されることにより，前記画像読取部３で読み取られる原稿の紙色に応じて適切なガンマ補正データを用いてガンマ補正処理を実行することが可能であるため，該原稿の画像の色再現性を向上させることができる。従って，前記複合機Ｘを利用するユーザ毎に用いる原稿の紙色が多少異なる場合，例えば赤みがかった原稿や青みがかった原稿，緑がかった原稿など，白色純度が異なる場合でも，その紙色に適切な前記紙色対応ガンマ補正データに基づいてガンマ補正処理を行うことにより，原稿画像の高い色再現性を維持することができる。
【００２５】
なお，前記紙色対応ガンマ補正データ生成処理（図５参照）及び前記画像読取処理（図６参照）は一連の処理として実行されるものであってもよい。即ち，任意の原稿について前記画像読取処理を実行する際に，前記紙色対応ガンマ補正データ生成処理によってその原稿の紙色に応じた前記紙色対応ガンマ補正データを生成し，該画像読処理で読み取られた色成分データ各々をその紙色対応ガンマ補正データに基づいて補正することが考えられる。
また，前記ステップＳ２２に代えて，前記原稿の紙色を該原稿の先端の画像データ等に基づいて自動的に判断し，その紙色が前記基準ガンマ補正データが生成されたときの原稿の基準色と前記紙色対応ガンマ補正データが生成されたときの原稿の色とのいずれか近い色に対応するガンマ補正データを選択して（Ｓ２２のＹｅｓ側，Ｎｏ側），該ガンマ補正データに基づくガンマ補正を実行することも他の実施例として考えられる。
さらに，前記紙色対応ガンマ補正データは一つに限らず，複数の紙色に対応して複数生成しておき，原稿の紙色に応じてその複数の紙色対応ガンマ補正データのいずれかを選択することのできる構成も他の実施例として考えられる。
【符号の説明】
【００２６】
Ｘ：複合機（画像処理装置，画像形成装置の一例）
１：制御部
２：操作表示部
３：画像読取部
４：画像処理部
５：画像形成部
Ｓ１，Ｓ２，…：処理手順（ステップ）番号
Ｃｒ１〜３，Ｃｇ１〜３，Ｃｂ１〜３：個別色成分データ
Ｄｒ１〜３，Ｄｇ１〜３，Ｄｂ１〜３：基準色成分データ
Ｅｒ１〜３，Ｅｇ１〜３，Ｅｂ１〜３：差分値
Ｆｒ０，Ｆｇ０，Ｆｂ０：理想γ曲線
Ｆｒ１，Ｆｇ１，Ｆｂ１：基準γ曲線
Ｆｒ２，Ｆｇ２，Ｆｂ２：個別γ曲線
Ｔｒ１，Ｔｇ１，Ｔｂ１：基準ガンマ補正データ
Ｔｒ２，Ｔｇ２，Ｔｂ２：紙色対応ガンマ補正データ
【図１】
2011176461.tif 000003
【図２】
2011176461.tif 000004
【図３】
2011176461.tif 000005
【図４】
2011176461.tif 000006
【図５】
2011176461.tif 000007
【図６】
2011176461.tif 000008